(57)【特許請求の範囲】
【請求項１】
外部端末と、前記外部端末とネットワークを介して接続された制御装置と、前記制御装置に通信可能に接続された画像出力装置とを含み、
前記外部端末は、第１の形式の画像データに設定情報を付加して出力し、
前記制御装置は、前記外部端末から出力された前記第１の形式の画像データを、前記外部端末で付加された設定情報に基づいて前記画像出力装置で出力可能な第２の形式の画像データに変換し、前記外部端末で付加された設定情報とともに前記画像出力装置に送る変換手段を備え、
前記画像出力装置は、前記制御装置から前記第２の形式の画像データを受け、前記外部端末で付加された設定情報に基づいて印刷物を出力する画像出力手段を備える画像出力システムであって、
前記画像出力装置に、
入力手段と、
前記入力手段からの前記印刷物に対する前記設定情報の変更の指示が入力され、前記指示が前記変換に関わる設定情報の変更を含む場合に、前記指示を前記制御装置に送る変更指示手段と、を備え、
前記制御装置に、
前記指示が送られた場合に、前記指示の対象となる第１の形式の画像データに付加された設定情報を前記指示に基づいて書き換える第１の変更手段を備え、
前記変換手段は、前記第１の変更手段で書き換えられた設定情報に基づいて前記指示の対象となる第１の形式の画像データを前記第２の形式の画像データに変換して前記画像出力装置に送り、
前記画像出力装置に、
前記指示が入力され、前記指示が前記変換に関わる設定情報の変更を含まない場合に、前記外部端末で付加された設定情報を前記指示に基づいて書き換える第２の変更手段を更に備え、
前記画像出力手段は、前記第２の変更手段で書き換えられた設定情報に基づいて印刷物を出力することを特徴とする画像出力システム。
【請求項２】
外部端末と、前記外部端末とネットワークを介して接続された制御装置と、前記制御装置に通信可能に接続された画像出力装置とを含み、
前記外部端末は、第１の形式の画像データに設定情報を付加して出力し、
前記制御装置は、前記外部端末から出力された前記第１の形式の画像データを、前記外部端末で付加された設定情報に基づいて前記画像出力装置で出力可能な第２の形式の画像データに変換し、前記外部端末で付加された設定情報とともに前記画像出力装置に送る変換手段を備え、
前記画像出力装置は、前記制御装置から前記第２の形式の画像データを受け、前記外部端末で付加された設定情報に基づいて印刷物を出力する画像出力手段を備える画像出力システムであって、
前記画像出力装置に、
入力手段と、
前記設定情報に試し刷り実施を示す情報が含まれる場合に、前記画像出力手段に前記第２の形式の画像データの試し刷りをさせる制御手段と、
前記入力手段からの前記試し刷りに対する前記設定情報の変更の指示が入力され、前記指示が前記変換に関わる設定情報の変更を含む場合に、前記指示を前記制御装置に送る変更指示手段と、を備え、
前記制御装置に、
前記指示が送られた場合に、前記指示の対象となる前記第１の形式の画像データに付加された設定情報を前記指示に基づいて書き換える第１の変更手段を備え、
前記変換手段は、前記第１の変更手段で書き換えられた設定情報に基づいて前記指示の対象となる第１の形式の画像データを前記第２の形式の画像データに変換して前記画像出力装置に送り、
前記画像出力装置に、
前記指示が入力され、前記指示が前記変換に関わる設定情報の変更を含まない場合に、前記外部端末で付加された設定情報を前記指示に基づいて書き換える第２の変更手段を更に備え、
前記画像出力手段は、前記第２の変更手段で書き換えられた設定情報に基づいて印刷物を出力することを特徴とする画像出力システム。
【請求項３】
前記第１の形式の画像データは、ベクターデータまたはラスターデータであり、
前記第２の形式の画像データは、網点画像データであり、
前記変換に関わる設定情報の変更は、色調整条件の変更、レイアウト条件の変更、または、網点化条件の変更の少なくとも一つの変更を含み、
前記第１の変更手段は、前記少なくとも一つの変更を含む前記指示に基づいて前記書き換えを行う請求項１又は請求項２のいずれかに記載の画像出力システム。
【発明の詳細な説明】
【技術分野】
【０００１】
本発明は、画像出力装置と、前記画像出力装置に接続され、第１の形式の画像データを前記画像出力装置において出力可能な形式である第２の形式の画像データに展開処理して前記画像出力装置に送出する制御装置とを含む画像出力システムに関するものである。
【背景技術】
【０００２】
近年、画像出力装置例えば電子写真方式のカラーレーザープリンタや、カラーレーザープリンタ・スキャナ・コピア・ファクシミリ等の機能を有する複合機（以下、まとめてカラーレーザープリンタという）などは高画質化され、さらには安価にかつ高速に高品位のカラー画像が出力可能となってきた。また、カラーレーザープリンタ用の後処理装置も多く考案され、カラーレーザープリンタで作成した印刷物をステイプル加工などを行った出力形態で出力することが可能となってきた。このような状況を反映して、カラーレーザープリンタは、例えば小ロット印刷等における最終印刷物の出力用途にも使用されるようになってきた。
【０００３】
一方、画像データは、ＤＴＰ（Ｄｅｓｋ  Ｔｏｐ  Ｐｕｂｌｉｓｈｉｎｇ）等の普及により、パーソナルコンピュータなどの外部端末であるクライアント端末で画像ソフトウェア上で編集などして作成される。このような画像データは画像形成の素となるもので（以下、画像形成の素となる画像データを素データという）、いわゆるベクタグラフィックスと呼ばれ、図１１に示すような画像として示される各オブジェクトを点の座標とそれを結ぶ線や面の方程式のパラメータ、及び、塗りつぶしの色（図２では、ＹＭＣＫ各色の網％の階調値で示す）や特殊効果、文字の形状を示す文字フォント情報やそのサイズなどの描画情報の集合で示すベクトルデータ（第１の形式の画像データ）や、また、いわゆるビットマップグラフィックスと呼ばれ、例えば図１２に示すように、横方向に所定の間隔（解像度）で配置された複数の画素で１ラインを構成し、さらにラインが縦方向に所定の間隔で並べられ、各画素は階調値で示される描画情報により示すラスターデータ（第１の形式の画像データ）がある。さらに、素データには第１の所定の条件、例えば色調整や画像の割り付けなどのレイアウトなどに関する画像形成条件、第２の所定の条件、例えば試し刷りやステイプル、折りなどの出力形態及び出力部数などに関する出力条件、属性情報としての名称、端末名、及び、日時情報等を含む設定情報が付加される。
【０００４】
そして、素データに基づいて印刷物の出力を行う。具体的には、まず、端末装置からネットワークを介して、素データと設定情報を、カラーレーザープリンタに接続された制御装置で受けて、素データに対し画像形成条件に基づいて色調整や割り付けを行いカラーレーザープリンタで出力可能な形式（第２の形式）の画像データである印刷データ、例えば図１３に示すような所定の領域の画素（図では５×５の領域の画素）で網点を形成し（図のハッチング部）その網点の大小で濃淡を表現する網点画像データに展開処理（変換）することが行われる。つまり、素データは、設定情報に示される第１の所定の条件に基づいて網点画像データ化される。そして、カラーレーザープリンタにて第２の所定の条件に基づいて網点画像データの画像形成を行い印刷物の出力を行うのである。
【０００５】
ところで、上述のような画像出力を行う際に、複数部の出力を行った後に例えば色の不具合など印刷内容の不具合が発見され無駄を生じないように、印刷内容等の確認に用いるために１部だけ出力する「試し刷り」機能がある。この試し刷りによれば、カラーレーザープリンタから１部だけ出力して、印刷内容等を確認してから複数部の出力を行うので、無駄の発生を低減できる。
【０００６】
しかしながら、試し刷りの結果、展開処理に関わる第１の所定の条件である色調整や画像の割り付けなどのレイアウトに関する画像形成条件に変更の必要が生じることがある。しかしながら、これらの変更は網点画像データに手を加えて対応することができないため、作業者は、その網点画像データによる出力を中止して、カラーレーザープリンタが置かれた場所から端末装置が置かれた場所にわざわざ移動し、端末装置で画像形成条件の変更を行い素データに付加し制御装置に送り、制御装置で再度上述のような展開処理を行う必要があった。このように画像形成条件の変更には手間が掛かった。
【０００７】
また、試し刷りの機能として、全ての印刷モードについて試し刷りを行いその中から好ましい印刷結果を選択できるようにしたもの（例えば、特許文献１参照。）があるが、制御装置による展開処理及び出力を全ての印刷モードについて行わなければならず、時間、消耗品などに多くの無駄を生じることになる。
【０００８】
【特許文献１】特開平１１−１３４１４７号公報
【発明の開示】
【発明が解決しようとする課題】
【０００９】
本発明は、上記課題を鑑みてなされたものであり、その目的とするところは、外部端末で作成された第１の形式の画像データに付加された設定情報の展開処理に関わる設定情報の変更の指示を画像出力装置から行うことを可能とし、その変更の指示に対応した印刷物を容易に得ることが可能な画像出力システムを提供することである。
【課題を解決するための手段】
【００１０】
上記課題を解決するために請求項１記載の発明は、外部端末と、前記外部端末とネットワークを介して接続された制御装置と、前記制御装置に通信可能に接続された画像出力装置とを含み、前記外部端末は、第１の形式の画像データに設定情報を付加して出力し、前記制御装置は、前記外部端末から出力された前記第１の形式の画像データを、前記外部端末で付加された設定情報に基づいて前記画像出力装置で出力可能な第２の形式の画像データに変換し、前記外部端末で付加された設定情報とともに前記画像出力装置に送る変換手段を備え、前記画像出力装置は、前記制御装置から前記第２の形式の画像データを受け、前記外部端末で付加された設定情報に基づいて印刷物を出力する画像出力手段を備える画像出力システムであって、前記画像出力装置に、入力手段と、前記入力手段からの前記印刷物に対する前記設定情報の変更の指示が入力され、前記指示が前記変換に関わる設定情報の変更を含む場合に、前記指示を前記制御装置に送る変更指示手段と、を備え、前記制御装置に、前記指示が送られた場合に、前記指示の対象となる第１の形式の画像データに付加された設定情報を前記指示に基づいて書き換える第１の変更手段を備え、前記変換手段は、前記第１の変更手段で書き換えられた設定情報に基づいて前記指示の対象となる第１の形式の画像データを前記第２の形式の画像データに変換して前記画像出力装置に送り、前記画像出力装置に、前記指示が入力され、前記指示が前記変換に関わる設定情報の変更を含まない場合に、前記外部端末で付加された設定情報を前記指示に基づいて書き換える第２の変更手段を更に備え、前記画像出力手段は、前記第２の変更手段で書き換えられた設定情報に基づいて印刷物を出力することを特徴としている。
【００１２】
また、請求項２記載の発明は、外部端末と、前記外部端末とネットワークを介して接続された制御装置と、前記制御装置に通信可能に接続された画像出力装置とを含み、前記外部端末は、第１の形式の画像データに設定情報を付加して出力し、前記制御装置は、前記外部端末から出力された前記第１の形式の画像データを、前記外部端末で付加された設定情報に基づいて前記画像出力装置で出力可能な第２の形式の画像データに変換し、前記外部端末で付加された設定情報とともに前記画像出力装置に送る変換手段を備え、前記画像出力装置は、前記制御装置から前記第２の形式の画像データを受け、前記外部端末で付加された設定情報に基づいて印刷物を出力する画像出力手段を備える画像出力システムであって、前記画像出力装置に、入力手段と、前記設定情報に試し刷り実施を示す情報が含まれる場合に、前記画像出力手段に前記第２の形式の画像データの試し刷りをさせる制御手段と、前記入力手段からの前記試し刷りに対する前記設定情報の変更の指示が入力され、前記指示が前記変換に関わる設定情報の変更を含む場合に、前記指示を前記制御装置に送る変更指示手段と、を備え、前記制御装置に、前記指示が送られた場合に、前記指示の対象となる前記第１の形式の画像データに付加された設定情報を前記指示に基づいて書き換える第１の変更手段を備え、前記変換手段は、前記第１の変更手段で書き換えられた設定情報に基づいて前記指示の対象となる第１の形式の画像データを前記第２の形式の画像データに変換して前記画像出力装置に送り、前記画像出力装置に、前記指示が入力され、前記指示が前記変換に関わる設定情報の変更を含まない場合に、前記外部端末で付加された設定情報を前記指示に基づいて書き換える第２の変更手段を更に備え、前記画像出力手段は、前記第２の変更手段で書き換えられた設定情報に基づいて印刷物を出力することを特徴としている。
【００１４】
また、請求項３記載の発明は、前記第１の形式の画像データは、ベクターデータまたはラスターデータであり、前記第２の形式の画像データは、網点画像データであり、
前記変換に関わる設定情報の変更は、色調整条件の変更、レイアウト条件の変更、または、網点化条件の変更の少なくとも一つの変更を含み、前記第１の変更手段は、前記少なくとも一つの変更を含む前記指示に基づいて前記書き換えを行うことを特徴としている。
【発明の効果】
【００１５】
本発明に係る画像出力システムによれば、画像出力装置からの展開処理に関わる設定情報の変更の指示を行い、制御装置でその指示に基づいて第１の形式の画像データを第２の形式の画像データに展開処理して画像出力装置に再度送ることが可能であり、これにより展開処理に関わる設定情報の変更した印刷物を容易に得ることができる。
【発明を実施するための最良の形態】
【００１６】
本発明は、画像出力装置と、画像出力装置と接続され、第１の形式の画像形成の素になる画像データである素データを前記画像出力装置で出力可能な形式である第２の形式の画像データとしての印刷データに展開処理（変換）して前記画像出力装置に送出する制御装置とを含む画像出力システムにおいて、画像出力装置で展開処理に関わる第１の所定の設定情報（後述）の変更の指示を可能とし、その指示された条件で画像形成を行い印刷物を出力できるようにしたものである。
【００１７】
以下、本発明に係る画像出力システムの一実施形態について、図面を参照しながら具体的に説明する。また、素データ及び印刷データをそれぞれ〔背景技術〕で述べたベクトルデータ及び網点画像データを一例として説明する。
【００１８】
（システムの構成）
まず、本実施の形態における画像出力システムの全体構成について図１を参照して説明する。図１は、当該画像出力システム全体の構成を示す図である。
【００１９】
図１に示すように、画像出力システムは、印刷物の画像編集を行う作業端末であるクライアント端末３と、カラー画像を出力する画像出力装置２、前記画像出力装置２の出力制御に関する制御を行うコントローラとしての制御装置１とを含んで構成されている。また、クライアント端末３と制御装置１は、ＬＡＮやインターネット等のネットワークＮを介してそれぞれ通信可能に接続されている。
【００２０】
ネットワークＮは、コンピュータシステム、端末、データ通信設備を相互に接続するものであり、専用回線、公衆回線のような有線での接続でもよいし、通信衛星などを介する無線での接続でもよい。また、いわゆるインターネットなどもこれに含まれる。
【００２１】
クライアント端末３は、いわゆるＰＣ（Ｐｅｒｓｏｎａｌ  Ｃｏｍｐｕｔｅｒ）で、コンピュータ本体、キーボードおよびモニタ等に加えて、イメージスキャナ等の画像入力機器などを備え（図示は省略する）、コンピュータ本体にアプリケーションソフトを備え作業者が操作することにより、アプリケーションソフトを実行させてポストスクリプト（登録商標）やＰＤＦ等のページ記述言語で素データを作成し、さらに素データに〔背景技術〕で述べたような第１の所定の設定情報、例えば色調整や画像の割り付けなどのレイアウトなどに関する画像形成条件、及び、第２の所定の設定情報、例えば試し刷りやステイプル、折りなどの出力形態及び出力部数などに関する出力条件、属性情報としての名称、端末名、及び、日時情報等を含む設定情報を付加し、ネットワークＮを介して制御装置１に送信することが可能である。図３に送信されるデータ構成を示す。図３に示すように送信されるデータは、設定情報部と画像データ部からなる。設定情報部には、上述の設定情報が記述され、画像データ部には、素データがページごとに記述されている（図では画像データ）。また、このようなクライアント端末は複数台設けてもよい。
【００２２】
制御装置１は、所定の動作プログラムが組み込まれた少なくともコンピュータ本体を含み、ＲＩＰ（Ｒａｓｔｅｒ  Ｉｍａｇｅ  Ｐｒｏｃｅｓｓｏｒ）としての機能を有しＲＩＰ機能により素データの展開処理（変換）を行うとともに、展開処理して得られた印刷用画像データを画像出力装置２に送る。
【００２３】
画像出力装置２は、各基本色（Ｃ（シアン）、Ｍ（マゼンタ）、Ｙ（イエロー）、Ｋ（ブラック））で形成された各画像を重ね合わせるように構成してカラー画像を形成し、出力条件に従ってステイプル加工などの後処理を行い、印刷物を出力するものである。
【００２４】
次に、制御装置１及び画像出力装置２の制御構成を図２を用いて説明する。図２は、制御装置１及び画像出力装置２の機能ブロック図である。
【００２５】
（制御装置の制御構成）
受付手段１１は、ネットワークＮを介しクライアント端末３から素データ及び設定情報を受け、画像展開処理手段１３に渡すとともに、記憶手段１２に記憶させる。
【００２６】
設定変更手段（第１の変更手段）１４は、画像出力装置２からの設定変更指示に基づいて記憶手段１２記憶されている変更指示の対象となる素データの設定情報を書き換えて画像展開処理手段１３に渡す。
【００２７】
画像展開処理手段１３は、色調整処理手段、レイアウト処理手段、ラスター化処理手段及び網点化処理手段としての機能を有する。画像展開処理手段１３は、これらの機能により、画像形成条件に基づいて、色調整処理またはレイアウト処理を行うとともに、素データのラスター化を行いさらにラスターデータを網点画像データ化して素データの展開を行う。そして、網点画像データと設定情報とを画像出力装置２に送る。
【００２８】
画像形成条件には、色調整に関する色調整条件として一般的な例を示すと下地調整、裏写り防止処理、赤色調整、緑色調整、青色調整、色相調整、彩度調整、明度調整、シャープネス調整、コントラスト調整、画像判別調整、カラーバランス、紙種または光沢処理などがあり、画像展開処理手段１３は、画像形成条件が示す色調整条件に基づいて、カラープロファイルや階調補正カーブなどを用いて素データに示される階調値を変更する。
【００２９】
また、レイアウトに関するレイアウト条件としては、例えば片面、両面、インターシート、章分け、差込ページ、オーバーレイ、２ｉｎ１、小冊子、リピートまたは無線綴じなどの画像の割り付け、画像の倍率、及び、画像の回転などがあり、画像展開処理手段１３は、画像形成条件が示すレイアウト条件つまり割り付け、倍率及び方向で印刷物を出力するように素データが示す画像をレイアウトする。
【００３０】
ラスター化処理は、図１１で示したベクトルデータが示す画像、文字フォントなどの情報を解析し、各基本色毎の図１２で示したラスターデータに変換する。
【００３１】
網点化処理は、図１３で示した所定の領域の画素内の網点の大小で濃淡を表現するように、各基本色のラスターデータを例えば網点基本データを用いて網点画像データにする。また、画像形成条件として、網点化条件として網点を構成するスクリーンがあり、画像展開処理手段１３は、画像形成条件が示す網点化条件が示すスクリーンに対応する網点基本データで網点データ化するようになっている。
【００３２】
ここで、網点化の例を説明する。例えば、図４（ａ）に示すようにラスターデータを５画素×５画素の領域ごとに分けて、各領域で１つの網点を２値で示される画素で形成する場合を説明する。例えば、ラスターデータの濃度値の大小に応じてその領域内の網点の大きさが大小に変化するように、図４（ｃ）に示すような所定の規則にしたがって配置された閾値群からなる網点基準データを用いる。このような網点基準データは例えば記憶手段１２などに記憶しておく。図４（ｂ）に、図４（ａ）に示したラスターデータのある５画素×５画素の領域の各画素の階調値を網％で示したが、この各画素の網％を網点基準データの対応する位置の閾値と比較し、網％が閾値と同じ若しくは大きい場合に「１」とし小さい場合に「０」とすることにより、図４（ｂ）に示したラスターデータは、図４（ｄ）に示すように変換される。図４（ｄ）は、図４（ｅ）に示す網点画像データの図４（ｂ）に示した領域の図４（ａ）に示すラスターデータ上の位置に相当する。また、図４（ｄ）に示すような５画素×５画素の領域の「１」の画素により、網点を形成する。ここでは、網点を２値で示される画素で形成する例を示したが、網点を多値で示される画素で形成するように、所定の規則にしたがって配置された閾値群からなる複数の網点基準データを用いて網点化してもよい。
【００３３】
また、本例では、素データをベクトルデータとして説明しているが、素データがラスターデータでもよく、その場合には、ラスターデータを設定情報に基づいて色調整処理またはレイアウト処理して網点化すればよい。
【００３４】
（画像出力装置の制御構成）
受付手段２１は、制御装置１から網点画像データ及び設定情報を受け、画像出力制御手段２３に渡すとともに、記憶手段２２に記憶させる。
【００３５】
画像形成手段２４は、図示しないが、複数の給紙トレイに記録用紙を収容し、記録用紙を複数の給紙トレイから選択的に給紙する給紙部、給紙された記録用紙を搬送する搬送部、記録用紙に画像形成を行う画像形成部、画像形成された記録用紙を後処理手段２５に渡す排紙部を含んで構成される。また、それらの各部はモータやセンサの部品や記録用紙搬送のためのガイド部材及びそれらを保持する部材等で構成されている。尚、本実施の形態において、画像形成部は、各基本色で形成された各画像を重ね合わせるように構成してカラー画像を形成する、電子写真方式、銀塩方式、または、インクジェット方式などの各方式が適応可能である。
【００３６】
後処理手段２５は、機構の詳細を図示しないが、画像形成された記録用紙を受けて、製本加工を行う手段として、ステイプル加工を行うステイプル手段、中折り・中綴じの場合に記録用紙の折り加工を行う紙折り手段、表紙を追加する表装加工を行う表装手段等を備えている。
【００３７】
画像出力制御手段２３は、設定情報に含まれる出力条件及び網点画像データに基づいて画像を形成し印刷物を出力するように、画像形成手段２４及び後処理手段２５を制御する。
【００３８】
出力条件には、例えば試し刷りの実施・不実施、画像の印刷用紙に対する位置、ステイプルの有無、紙折りの設定、パンチの有無、出力部数、給紙トレイ指示などがあり、画像出力制御手段２３は、設定情報が含む出力条件に基づいて画像形成手段２４及び後処理手段２５を制御する。ただし、試し刷りが実施であれば、本発明の制御手段として、画像出力制御手段２３は、設定されている出力部数に関わらず、まず１部だけ出力するように制御する（試し刷り）。
【００３９】
入力手段２６は、詳細は図示しないがスタートキー、ストップキー、試し刷りを行うためのプルーフキー、及びテンキーなどの各種キー及び液晶タッチパネル等を含んで構成されている。これらの各種キー、液晶タッチパネル等を用いての各種入力が可能である。また、入力手段２６を用いて、スイッチや液晶タッチパネルなどを操作して、上述の画像形成条件や出力条件の設定変更指示の入力が可能である。例えば、上述の色調整に関する画像形成条件の一つであるカラーバランスの設定変更指示を例に説明する。まず、スイッチや液晶タッチパネルなどを操作して、例えば図５に示すような設定変更画面２６１を液晶タッチパネルに表示させる。設定変更画面２６１には、図５に示すように、画像形成条件については、「色調整」、「割り付け」、「倍率」、「回転」及び「スクリーン」のソフトキー、及び、出力条件については「後処理」、「出力部数」及び「給紙トレイ」のソフトキーが選択可能表示されている。そして、「色調整」のソフトキーにタッチすると、例えば図６に示すような色調整設定画面２６２が表示される。色調整設定画面２６２には、図６に示すように色調整に関する各画像形成条件に対応するソフトキーが表示される。ここで、「カラーバランス」のソフトキーにタッチすると、図７に示すようなカラーバランス入力画面２６３が表示され、各基本色について所望のカラーバランスの数値を入力する。他の画像形成条件や出力条件についても同様に入力画面を用意しておき、各入力画面を用いて入力する。そして、所望の条件について入力が終了したら、スタートキーまたはプルーフキーを押下して設定変更指示の入力が完了となる。スタートキーを押下して完了させた場合には試し刷りについて不実施が設定され、プルーフキーを押下して完了させた場合には試し刷り実施が設定される。
【００４０】
設定変更指示手段（変更指示手段）２７は、入力手段２６からの画像形成条件や出力条件の設定変更指示の入力を受けて、設定変更指示の入力が画像形成条件の変更を含む場合すなわち制御手段１における展開処理に係る条件を含む場合には、制御装置１の設定変更手段１４に対し設定変更指示を送り、設定変更指示の入力が画像形成条件の変更を含まない場合すなわち制御手段１における展開処理に係る条件を含まない場合には、画像出力装置２の設定変更手段（第２の変更手段）２８に対し設定変更指示を送る。
【００４１】
設定変更手段２８は、設定変更指示手段２７からの設定変更指示に基づいて記憶手段２２記憶されている設定変更の対象となる網点画像データの設定情報を書き換えて画像出力制御手段２３に渡す。
【００４２】
以上のような構成により、画像出力装置２で画像形成条件の変更の指示が可能となる。
【００４３】
（画像出力方法）
次に、上述のような構成の画像出力システムにおける画像出力方法について、図８乃至図１０を参照しつつ説明する。図８及び図９は、本画像出力システムの制御装置１にける動作態様を示すフローチャートであり、図１０は、本画像出力システムの画像出力装置２にける動作態様を示すフローチャートである。
【００４４】
初めに、作業者がクライアント端末３を用いて、素データを作成し設定情報を付して、ネットワークＮを介して制御装置１に送信し、図８に示すように素データと設定情報を受付手段１１で受けると（図８ステップＳ２０１、Ｙ。図８ステップＳ２０１を以下省略して「Ｓ２０１」と表す。他のステップも同様に省略して表す。）、素データ及び設定情報を記憶手段１２に保存する（Ｓ２０２）。
【００４５】
一方、受け付けた素データと設定情報は、画像展開処理手段１３に送られ、画像展開処理手段１３は、設定情報に基づいて、素データに対し色調整処理、レイアウト処理を行うとともに、素データのラスター化を行い、さらにラスターデータを網点画像データ化して素データの展開を行う（Ｓ２０３）。そして、網点画像データと設定情報とを画像出力装置２に送信する（Ｓ２０４）。
【００４６】
次に、画像出力装置２では、図１０に示すように、網点画像データと設定情報とを受けると（Ｓ１０１、Ｙ）、網点画像データ及び設定情報を記憶手段２２に保存する（Ｓ１０２）。
【００４７】
一方、受け付けた網点画像データと設定情報は、画像出力制御手段２３に送られ、設定情報に試し刷り実施の設定がなければ（Ｓ１０３、Ｎ）、画像出力制御手段２３は、画像形成手段２４と後処理手段２５を制御し、設定情報に設定されている部数の印刷物を設定情報に設定されている出力形態で出力する（Ｓ１１０）。設定情報に試し刷り実施の設定があれば（Ｓ１０３、Ｙ）、画像出力制御手段２３は、画像形成手段２４と後処理手段２５を制御し、１部の印刷物を設定情報に設定されている出力形態で出力する（Ｓ１０４）。
【００４８】
作業者が、出力された１部の印刷物を確認し、出力の指示が入力されたら（Ｓ１０５、出力）、画像出力制御手段２３は、画像形成手段２４と後処理手段２５を制御し、設定情報に設定されている部数の印刷物を設定情報に設定されている出力形態で出力する（Ｓ１１０）。
【００４９】
設定変更の指示が入力された場合（Ｓ１０５、設定変更）、設定変更指示手段２７は、その入力に画像形成条件の変更が含まれていれば（Ｓ１０６、Ｙ）、制御装置１に対して設定変更指示を送る（Ｓ１０７）。画像形成条件の変更が含まれていなければ（Ｓ１０６、Ｎ）、設定変更手段２８に設定変更指示を送り、設定変更手段２８は、記憶手段２２に記憶されている対象となる網点画像データの設定情報を設定変更指示に基づいて書き換え（Ｓ１０８）、画像出力制御手段２３に送る。このとき、入力手段２６を用いての設定変更指示の入力がプルーフキーの押下で完了したものであれば、設定情報を試し刷り実施とし、スターとキーの押下で完了したものであれば、設定情報を試し刷り不実施とする。そして、画像出力制御手段２３は、設定情報に試し刷り実施の設定がなければ（Ｓ１０９、Ｎ）、画像形成手段２４と後処理手段２５を制御し、書き換えられた設定情報に設定されている部数の印刷物を書き換えられた設定情報に設定されている出力形態で出力する（Ｓ１１０）。設定情報に試し刷り実施の設定があれば（Ｓ１０９、Ｙ）、画像出力制御手段２３は、画像形成手段２４と後処理手段２５を制御し、１部の印刷物を書き換えられた設定情報に設定されている出力形態で出力し（Ｓ１０４）、Ｓ１０５乃至Ｓ１０７を繰り返す。
【００５０】
また、制御装置１に対して設定変更指示が送られ、図９に示すように、設定変更手段１４で設定変更指示を受けると（Ｓ３０１、Ｙ）、設定変更手段１４は、記憶手段１２に記憶されている対象となる素データの設定情報を設定変更指示に基づいて書き換え（Ｓ３０２）、画像展開処理手段１３に送る。このとき、入力手段２６を用いての設定変更指示の入力がプルーフキーの押下で完了したものであれば、設定情報を試し刷り実施とし、スターとキーの押下で完了したものであれば、設定情報を試し刷り不実施とする。
【００５１】
画像展開処理手段１３は、書き換えられた設定情報に基づいて素データに対し色調整処理、レイアウト処理などを行うとともに、素データのラスター化を行い、さらにラスターデータを網点画像データ化して素データの展開を行う（Ｓ３０３）。そして、網点画像データと書き換えられた設定情報とを画像出力装置２に送信する（Ｓ３０４）。
【００５２】
そして、画像出力装置２では、図１０のＳ１０１からの手順を繰り返す。
【００５３】
また、上述の説明は、試し刷りを行い画像形成条件を変更する場合について述べたが、記憶手段２２に記憶された網点画像データの設定情報を変更する場合に適用することも可能である。
【００５４】
以上説明したように、本画像出力システムによれば、画像出力装置２で画像形成条件の変更の指示を行い、その画像形成条件の変更に対応した印刷物を容易に出力することができる。
【図面の簡単な説明】
【００５５】
【図１】本発明に係る画像出力システムの一実施の形態の全体の構成を示すブロック図である。
【図２】本発明に係る制御装置及び画像出力装置の制御構成の一例を示す機能ブロック図である。
【図３】画像データと設定情報とを含んで構成されるデータの一例を示す図である。
【図４】網点基準データを用いて行うラスターデータの網点画像データへの変換を説明するための説明図である。
【図５】設定変更画面の一例を示す図である。
【図６】色調整設定画面の一例を示す図である。
【図７】カラーバランス入力画面の一例を示す図である。
【図８】本画像出力システムの制御装置における画像出力方法の手順を示すフローチャートである。
【図９】本画像出力システムの制御装置における画像出力方法の手順を示すフローチャートである。
【図１０】本画像出力システムの画像出力装置における画像出力方法の手順を示すフローチャートである。
【図１１】ベクターデータについて説明するための説明図である。
【図１２】ラスターデータについて説明するための説明図である。
【図１３】網点について説明するための説明図である。
【符号の説明】
【００５６】
１  制御装置
１１  受付手段
１２  記憶手段
１３  画像展開処理手段
１４  設定変更手段
２  画像出力装置
２１  受付手段
２２  記憶手段
２３  画像出力制御手段
２４  画像形成手段
２５  後処理手段
２６  入力手段
２７  設定変更指示手段
２８  設定変更手段
３  クライアント端末
Ｎ  ネットワーク
【図１】
0004577132.tif 000002
【図２】
0004577132.tif 000003
【図３】
0004577132.tif 000004
【図４】
0004577132.tif 000005
【図５】
0004577132.tif 000006
【図６】
0004577132.tif 000007
【図７】
0004577132.tif 000008
【図８】
0004577132.tif 000009
【図９】
0004577132.tif 000010
【図１０】
0004577132.tif 000011
【図１１】
0004577132.tif 000012
【図１２】
0004577132.tif 000013
【図１３】
0004577132.tif 000014